【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
圧電体を使用し力を検出する力検出と位置を検出する位置検出とを備えた投影型静電容量方式タッチパネルであって
前記タッチパネルは圧電体と前記圧電体の上面側に位置付けられたＴＰ専用電極からなり、
力検出は電極を使用して前記圧電体に力が負荷されたときに前記圧電体に生じる電力を測定するものであり、
位置検出は一組の電極を使用するものであり、前記一組の電極のうち一の電極はＸＹ平面上の一の方向に平行に配置された一群の導電体からなり、他の電極は前記一の方向と交差する方向に平行に配置された一群の他の導電体からなり、
前記ＴＰ専用電極とは、力検出に使用する電極、位置検出に使用する電極及び／または力検出と位置検出を兼用する電極を意味するものであることを特徴とするタッチパネル。
【請求項２】
前記圧電体は、力を受けるとＸＹ平面に平行な面内で電荷が発生するＸＹ平面分極性圧電体である請求項１に記載したタッチパネル。
【請求項３】
前記ＴＰ専用電極は、力検出のみに使用する一対の電極及び位置検出のみに使用する一組の電極からなる請求項２に記載したタッチパネル。
【請求項４】
前記ＴＰ専用電極は、力検出に使用する単一の電極と、位置検出に使用する一組の電極のうちの単一の電極と力検出に使用する電極と位置検出に使用する電極を兼用する単一の電極からなる請求項２に記載したタッチパネル。
【請求項５】
前記タッチパネルは表示装置の表示面に載置して用いられるタッチパネルであり、前記表示装置は表示面から出射される可視光が直線偏光であり、
前記圧電体は位相差板であって前記圧電体である位相差板の遅相軸が、前記直線偏光の振動面に対して２０度から７０度の角度で配置して用いられる請求項２乃至４いずれかに記載したタッチパネル。
【請求項６】
前記タッチパネルは表示装置の表示面に載置して用いられるタッチパネルであり、前記表示装置は表示面から出射される可視光が直線偏光であり、
前記圧電体は位相差板であって前記圧電体のリタデーション値が１１０ｎｍ以上１７０ｎｍ以下である請求項２乃至５いずれかに記載したタッチパネル。
【請求項７】
前記タッチパネルは表示装置の表示面に載置して用いられるタッチパネルであり、前記表示装置は表示面から出射される可視光が直線偏光であり、
前記圧電体は位相差板であって前記圧電体のリタデーション値が８００ｎｍ以上３０，０００ｎｍ以下である請求項２乃至５いずれかに記載したタッチパネル。
【請求項８】
位置検出に使用する一組の電極のなかで一の電極を構成する一群の導電体は第一導電体であり、他の電極を構成する一群の他の導電体は第二導電体であり、
力検出に使用する一対の電極は測定電極と接地電極であり、
前記測定電極は一群の導電体である第三導電体から構成されていて、
前記ＴＰ専用電極を一のＸＹ平面である仮想平面に投影した電極投影図上で、第三導電体は第一導電体又は第二導電体のいずれかと平行に配置されていて、第一導電体と第二導電体の交差領域を位置交差領域としたとき、前記位置交差領域と第三導電体が離隔している請求項２乃至４いずれかに記載したタッチパネル。
【請求項９】
第三導電体は広幅部と狭幅部が交互に連続していて、
前記電極投影図上で、前記狭幅部が第二導電体と交差する請求項２乃至４いずれかに記載したタッチパネル。
【請求項１０】
前記圧電体の上側に一枚の支持フィルムを配置し、前記支持フィルムの下面に前記ＴＰ専用電極を形成した請求項３、４、８又は９いずれかに記載したタッチパネル。
【請求項１１】
前記圧電体の上側に一枚の支持フィルムを配置し、前記支持フィルムの上面に前記ＴＰ専用電極を構成する少なくとも一の電極を形成し、前記支持フィルムの下面に前記ＴＰ専用電極を構成する残余の電極を形成したものであり、前記残余の電極は少なくとも１の電極である請求項３、４、８又は９いずれかに記載したタッチパネル。
【請求項１２】
前記位置検出に使用する一組の電極は、受電電極と送電電極であり、前記支持フィルムの上面に形成した電極は前記受電電極である請求項１１に記載したタッチパネル。
【請求項１３】
金属製の枠を包含していて前記圧電体の下に前記枠が位置付けられていて、
前記圧電体は、力を受けると上下軸に平行な面内で電荷が発生する上下面分極性圧電体であり、
力検出に使用する一対の電極は測定電極と接地電極であり、
前記接地電極として前記枠を使用する請求項１に記載したタッチパネル。
【請求項１４】
前記圧電体の上側に一枚の支持フィルムを配置し、
前記支持フィルムの上面に前記ＴＰ専用電極を構成する少なくとも一の電極を形成し、
前記支持フィルムの下面に前記ＴＰ専用電極を構成する残余の電極を形成したものであり、
前記残余の電極は少なくとも一の電極である請求項１３に記載したタッチパネル。
【請求項１５】
前記タッチパネルは表示装置の表示面に載置して用いられるタッチパネルであり、前記表示装置は表示面から出射される可視光が直線偏光であり、
前記圧電体は位相差板であって前記圧電体である位相差板の遅相軸が、前記直線偏光の振動面に対して２０度から７０度の角度で配置された請求項１３又は１４いずれかに記載したタッチパネル。
【請求項１６】
前記タッチパネルは表示装置の表示面に載置して用いられるタッチパネルであり、前記表示装置は表示面から出射される可視光が直線偏光であり、
前記圧電体は位相差板であって前記圧電体のリタデーション値が１１０ｎｍ以上１７０ｎｍ以下である請求項１３乃至１５いずれかに記載したタッチパネル。
【請求項１７】
前記タッチパネルは表示装置の表示面に載置して用いられるタッチパネルであり、前記表示装置は表示面から出射される可視光が直線偏光であり、
前記圧電体は位相差板であって前記圧電体のリタデーション値が８００ｎｍ以上３０，０００ｎｍ以下である請求項１３乃至１５いずれかに記載したタッチパネル。
【請求項１８】
表示装置とタッチパネルからなる電子機器であって、
前記タッチパネルは、圧電体を使用し力を検出する力検出と位置を検出する位置検出とを備えた投影型静電容量方式タッチパネルであり、
前記タッチパネルは前記圧電体の上面側に位置付けられたＴＰ専用電極を有し、
力検出は電極を使用して前記圧電体に力が負荷されたときに前記圧電体に生じる電力を測定するものであり、力検出に使用する一対の電極は測定電極と接地電極であり、
位置検出は一組の電極を使用するものであり、前記一組の電極のうち一の電極はＸＹ平面上の一の方向に平行に配置された一群の導電体からなり、他の電極は前記一の方向と交差する方向に平行に配置された一群の他の導電体からなり、
前記ＴＰ専用電極は前記測定電極と位置検出に使用する一組の電極であり、
前記表示装置は、表示装置を構成する表示構成電極を含んでいて、
前記圧電体は、力を受けると上下軸に平行な面内で電荷が発生する上下面分極性圧電体であり、
前記接地電極として前記表示構成電極を使用する電子機器。
【請求項１９】
前記圧電体の上側に一枚の支持フィルムを配置し、
前記支持フィルムの上面に前記ＴＰ専用電極を構成する少なくとも一の電極を形成し、
前記支持フィルムの下面に前記ＴＰ専用電極を構成する残余の電極を形成したものであり、
前記残余の電極は少なくとも一の電極である請求項１８に記載した電子機器。
【請求項２０】
位置検出に使用する一組の電極のなかで一の電極を構成する一群の導電体は第一導電体であり、
他の電極を構成する一群の他の導電体は第二導電体であり、
前記測定電極は一群の導電体である第三導電体から構成されていて、
前記ＴＰ専用電極を一のＸＹ平面である仮想平面に投影した電極投影図上で、第三導電体は第一導電体又は第二導電体のいずれかと平行に配置されていて、第一導電体と第二導電体の交差領域を位置交差領域としたとき、前記位置交差領域と第三導電体が離隔している請求項１８に記載した電子機器。
【請求項２１】
第三導電体は広幅部と狭幅部が交互に連続していて、
前記電極投影図上で、前記狭幅部が第二導電体と交差する請求項１８に記載した電子機器。
【請求項２２】
請求項１８乃至２１いずれかに記載した電子機器であって、
前記表示装置は表示面から出射される可視光が直線偏光であり、
前記圧電体は位相差板であって、前記圧電体である位相差板の遅相軸が、前記直線偏光の振動面に対して２０度から７０度の角度で配置された請求項１８乃至２１いずれかに記載した電子機器。
【請求項２３】
請求項１８乃至２２いずれかに記載した電子機器であって、
前記表示装置は表示面から出射される可視光が直線偏光であり、
前記圧電体は位相差板であって、前記圧電体のリタデーション値が１１０ｎｍ以上１７０ｎｍ以下である請求項１８乃至２２いずれかに記載した電子機器。
【請求項２４】
請求項１８乃至２２いずれかに記載した電子機器であって、
前記表示装置は表示面から出射される可視光が直線偏光であり、
前記圧電体は位相差板であって、前記圧電体のリタデーション値が８００ｎｍ以上３０，０００ｎｍ以下である請求項１８乃至２２いずれかに記載した電子機器。